(57)【要約】【課題】所定の情報の入力時に注意すべき注意情報の見落としを効果的に防止すること。【解決手段】所定の指示ツール２０の表示要求を医師から受け付けた場合に、各指示ツールの種類と所定の情報を入力する際の注意を医師に促す球３１ａ〜３１ｃの種類との間の対応関係の情報を記憶したデータベースを参照することにより所定の指示ツール２０上に表示する球３１ａ，３１ｃを選択し、選択された球３１ａ，３１ｃを指示ツール２０上に表示するよう制御する。【選択図】        図５
2007257030.tif 000002
【特許請求の範囲】
【請求項１】
所定の情報の入力をユーザから受け付ける入力受付領域を表示する入力受付領域表示方法であって、
所定の入力受付領域の表示要求を受け付けた場合に、各入力受付領域の種類と前記所定の情報を入力する際の注意をユーザに促す注意情報の種類との間の対応関係の情報を記憶したデータベースを参照することにより前記所定の入力受付領域に表示する注意情報を選択する選択工程と、
前記選択工程により選択された注意情報を前記所定の入力受付領域に表示するよう制御する制御工程と、
を含んだことを特徴とする入力受付領域表示方法。
【請求項２】
前記所定の情報は、電子カルテに係る情報であることを特徴とする請求項１に記載の入力受付領域表示方法。
【請求項３】
指定された患者の電子カルテを基にして前記所定の情報を入力する際の注意をユーザに促す注意情報の種類を判定する判定工程をさらに含み、前記選択工程は、前記判定工程により判定された各種の注意情報のうち前記所定の入力受付領域に表示する注意情報を前記データベースを参照することにより選択することを特徴とする請求項２に記載の入力受付領域表示方法。
【請求項４】
前記判定工程は、判定により得られた各種の注意情報を所定の表示領域に表示するよう制御し、前記制御工程は、前記判定工程により表示制御がなされた注意情報のうち、前記選択工程により選択された注意情報の表示位置のみを前記所定の表示領域から前記入力受付領域に変更して前記選択工程により選択された注意情報を表示するよう制御することを特徴とする請求項３に記載の入力受付領域表示方法。
【請求項５】
所定の情報の入力をユーザから受け付ける入力受付領域を表示する入力受付領域表示装置であって、
各入力受付領域の種類と前記所定の情報を入力する際の注意をユーザに促す注意情報の種類との間の対応関係の情報を記憶した記憶手段と、
所定の入力受付領域の表示要求を受け付けた場合に、前記記憶手段に記憶された情報を参照することにより前記入力受付領域に表示する注意情報を選択する選択手段と、
前記選択手段により選択された注意情報を前記所定の入力受付領域に表示するよう制御する制御手段と、
を備えたことを特徴とする入力受付領域表示装置。
【発明の詳細な説明】
【技術分野】
【０００１】
本発明は、所定の情報の入力をユーザから受け付ける入力受付領域を表示する入力受付領域表示方法および入力受付領域表示装置に関し、特に、所定の情報の入力時に注意すべき注意情報の見落としを効果的に防止することができる入力受付領域表示方法および入力受付領域表示装置に関する。
【背景技術】
【０００２】
従来、医療現場において患者の診察結果や検査結果などをデータベースに登録し、医者が患者のさまざまな情報を容易に参照することができるようにした電子カルテシステムが広く利用されている。
【０００３】
上記診察結果や検査結果は時間の経過に伴って変化する。そのため、電子カルテシステムにおけるデータベースには、このような診察結果や検査結果の情報が蓄積されていき、その蓄積された情報を有効に活用するため、さまざまな工夫がなされている。
【０００４】
たとえば、患者の検査結果に変化があった場合に、検査結果に変化があったことを示すマークを患者の名前とともに画面上に一覧表にして表示する検査マネージメントシステムが開示されている（特許文献１を参照）。医師はこの一覧表を見ることにより、検査結果に変化があった患者を即座に発見することができる。
【０００５】
【特許文献１】特開２００５−１６０６６１号公報
【発明の開示】
【発明が解決しようとする課題】
【０００６】
しかしながら、上述した特許文献１に代表される従来技術では、電子カルテシステムを用いて医師が患者に対する処方や食事などに係るさまざまな指示情報を指示情報入力画面において入力する場合に、上記一覧表を表示する画面は指示情報入力画面と別の画面であるため、検査結果に変化があったことを示すマークを医師が見落とし、検査結果の変化が指示情報に反映されない危険性があるという問題があった。
【０００７】
また、上記一覧表を表示する画面と指示情報入力画面とが別の画面である場合には、検査結果に変化があったことを示すマークの有無を画面を切り替えるなどして確認する必要があり、指示情報入力画面を表示させた後に上記マークが表示された場合などにはそのマークの出現を見落としてしまう可能性があった。
【０００８】
そのため、医師が情報を入力する際に注意すべき注意情報を見落としてしまうことを防止し、医師が適切な指示をおこなうことができるように医師の医療行為を支援することができる技術の開発が強く望まれている。
【０００９】
本発明は、上述した従来技術による問題点を解消するためになされたものであり、所定の情報の入力時に注意すべき注意情報の見落としを効果的に防止することができる入力受付領域表示方法および入力受付領域表示装置を提供することを目的とする。
【課題を解決するための手段】
【００１０】
上述した課題を解決し、目的を達成するため、本発明は、所定の情報の入力をユーザから受け付ける入力受付領域を表示する入力受付領域表示方法であって、所定の入力受付領域の表示要求を受け付けた場合に、各入力受付領域の種類と前記所定の情報を入力する際の注意をユーザに促す注意情報の種類との間の対応関係の情報を記憶したデータベースを参照することにより前記所定の入力受付領域に表示する注意情報を選択する選択工程と、前記選択工程により選択された注意情報を前記所定の入力受付領域に表示するよう制御する制御工程と、を含んだことを特徴とする。
【００１１】
また、本発明は、上記発明において、前記所定の情報は、電子カルテに係る情報であることを特徴とする。
【００１２】
また、本発明は、上記発明において、指定された患者の電子カルテを基にして前記所定の情報を入力する際の注意をユーザに促す注意情報の種類を判定する判定工程をさらに含み、前記選択工程は、前記判定工程により判定された各種の注意情報のうち前記所定の入力受付領域に表示する注意情報を前記データベースを参照することにより選択することを特徴とする。
【００１３】
また、本発明は、上記発明において、前記判定工程は、判定により得られた各種の注意情報を所定の表示領域に表示するよう制御し、前記制御工程は、前記判定工程により表示制御がなされた注意情報のうち、前記選択工程により選択された注意情報の表示位置のみを前記所定の表示領域から前記入力受付領域に変更して前記選択工程により選択された注意情報を表示するよう制御することを特徴とする。
【００１４】
また、本発明は、上記発明において、前記制御工程は、前記注意情報の表示位置を前記所定の表示領域から前記入力受付領域に変更して当該注意情報を表示する場合に、前記所定の表示領域から前記入力受付領域に前記注意情報の表示位置が徐々に移動するよう制御することを特徴とする。
【００１５】
また、本発明は、所定の情報の入力をユーザから受け付ける入力受付領域を表示する入力受付領域表示装置であって、各入力受付領域の種類と前記所定の情報を入力する際の注意をユーザに促す注意情報の種類との間の対応関係の情報を記憶した記憶手段と、所定の入力受付領域の表示要求を受け付けた場合に、前記記憶手段に記憶された情報を参照することにより前記入力受付領域に表示する注意情報を選択する選択手段と、前記選択手段により選択された注意情報を前記所定の入力受付領域に表示するよう制御する制御手段と、を備えたことを特徴とする。
【発明の効果】
【００１６】
本発明によれば、所定の入力受付領域の表示要求を受け付けた場合に、各入力受付領域の種類と所定の情報を入力する際の注意をユーザに促す注意情報の種類との間の対応関係の情報を記憶したデータベースを参照することにより所定の入力受付領域に表示する注意情報を選択し、選択した注意情報を所定の入力受付領域に表示するよう制御することとしたので、所定の情報の入力時に注意すべき注意情報の見落としを効果的に防止することができるという効果を奏する。
【００１７】
また、本発明によれば、所定の情報は、電子カルテに係る情報であることとしたので、ユーザが電子カルテシステムを利用して情報の入力をおこなう場合に注意すべき注意情報の見落としを効果的に防止することができるという効果を奏する。
【００１８】
また、本発明によれば、指定された患者の電子カルテを基にして所定の情報を入力する際の注意をユーザに促す注意情報の種類を判定し、判定した各種の注意情報のうち所定の入力受付領域に表示する注意情報をデータベースを参照することにより選択することとしたので、患者の電子カルテから得られる注意情報の見落としを効果的に防止することができるという効果を奏する。
【００１９】
また、本発明によれば、上記判定により得られた各種の注意情報を所定の表示領域に表示するよう制御し、表示制御がなされた注意情報のうち、上記データベースを参照して選択された注意情報の表示位置のみを所定の表示領域から入力受付領域に変更して、選択された注意情報を表示するよう制御することとしたので、入力される情報とは関係のない注意情報を入力受付領域に表示せず、入力される情報と関係する注意情報のみを入力受付領域に表示することにより、情報の入力時に注意が必要な注意情報の見落としを効果的に防止することができるという効果を奏する。
【００２０】
また、本発明によれば、注意情報の表示位置を所定の表示領域から入力受付領域に変更して当該注意情報を表示する場合に、所定の表示領域から入力受付領域に注意情報の表示位置が徐々に移動するよう制御することとしたので、ユーザが注意情報により気付きやすくし、注意情報の見落としを効果的に防止することができるという効果を奏する。
【００２１】
また、本発明によれば、各入力受付領域の種類と所定の情報を入力する際の注意をユーザに促す注意情報の種類との間の対応関係の情報を記憶し、所定の入力受付領域の表示要求を受け付けた場合に、記憶した情報を参照することにより入力受付領域に表示する注意情報を選択し、選択した注意情報を所定の入力受付領域に表示するよう制御することとしたので、所定の情報の入力時に注意すべき注意情報の見落としを効果的に防止することができるという効果を奏する。
【発明を実施するための最良の形態】
【００２２】
以下に添付図面を参照して、本発明に係る入力受付領域表示方法および入力受付領域表示装置の好適な実施例を詳細に説明する。
【実施例】
【００２３】
まず、本発明に係る入力受付領域表示について図１から図６を用いて説明する。図１は、電子カルテの基本画面の一例を示す図である。この基本画面は、医師が電子カルテシステムにログインした際に表示される画面である。この基本画面は、管理画面１０、患者バー１１、ブラウザ１２、エディタ１３から構成される。
【００２４】
管理画面１０は、医師から電子カルテの参照や編集をおこなう患者の選択を受け付けたり、電子カルテシステムへのログイン要求や電子カルテシステムからのログアウト要求を受け付けたりする画面である。
【００２５】
患者バー１１は、管理画面１０を用いて選択された患者の氏名や年齢などの個人情報を表示する画面である。ブラウザ１２は、患者の電子カルテの内容を表示する画面である。エディタ１３は、患者の電子カルテ情報の入力を受け付ける画面である。
【００２６】
このエディタ１３上で、マウス等がクリックされるとメニュー１４が表示される。このメニュー１４には、「処方」や「病棟・食事」などの項目が含まれている。そして、医師により「処方」や「病棟・食事」などの項目がマウス等の操作により選択された場合には、医薬品の調合や服用に関する指示（処方オーダ）の入力を医師から受け付けたり、食事に関する指示（食事オーダ）の入力を医師から受け付けたりする指示ツールの画面が表示される。
【００２７】
図２は、上述した指示ツール２０の一例を示す図である。図２には、処方オーダの入力を医師から受け付ける指示ツール２０の例が示されている。医師がこの指示ツール２０を用いて医薬品の調合や服用に関する指示情報を入力すると、入力された指示情報がデータベースに登録され、薬局などに設置されたクライアント装置などから指示情報が参照できるようになる。
【００２８】
また、図１に示した管理画面１０において患者が選択された場合には、その患者について注意すべき注意事項があるか否かがデータベースから検索され、注意事項がある場合にその情報が患者バー１１上に表示される。図３は、患者に係る注意情報の表示の一例を示す図である。
【００２９】
図３の例では、患者バー１１上に、「感」という文字が表記された球３１ａと、「ア」という文字が表記された球３１ｂと、「治」という文字が表記された球３１ｃとが表示されている。
【００３０】
ここで、「感」という文字が表記された球３１ａは、患者に感染症があることを示している。「ア」という文字が表記された球３１ｂは、患者にアレルギー疾患があることを示している。「治」という文字が表記された球３１ｃは、患者が治験患者であることを示している。
【００３１】
また、各球３１ａ〜３１ｃがマウス等を用いてクリックされると、球３１ａ〜３１ｃの表示の元となった注意事項の情報、すなわち、患者の感染症やアレルギー疾患、治験に係る情報が画面上に表示される。
【００３２】
また、患者の注意情報、すなわち、患者の感染症やアレルギー疾患、治験に係る情報が新たにデータベースに登録され、このような球３１ａ〜３１ｃが初めて患者バー１１に表示された場合には、球３１ａ〜３１ｃが回転して、上記情報がデータベースに新たに登録されたことを医師に通知する。また、球３１ａ〜３１ｃの表示の元となった患者の注意事項の情報が更新された場合にも、球３１ａ〜３１ｃが回転して、情報が更新されたことを医師に通知する。
【００３３】
このような球３１ａ〜３１ｃの回転は、各球３１ａ〜３１ｃがマウス等を用いてクリックされ、球３１ａ〜３１ｃの表示の元となった注意事項の情報が画面上に表示されると停止する。
【００３４】
さらに、患者バー１１上に球３１ａ〜３１ｃが表示されている状態で、図２に示したような指示ツール２０が起動された場合には、起動された指示ツール２０において入力される情報に関連する注意情報を示す球３１ａ〜３１ｃが指示ツール２０上に移動する。これにより、患者の指示情報を入力する際に注意すべき注意情報を医師が見落としてしまうことを効果的に防止することができる。
【００３５】
ここで、上記球３１ａ〜３１ｃの移動処理は以下に説明するようにして実行される。まず、この移動処理では、患者バー１１および指示ツール２０にまたがって、透明なフレームが生成され、そのフレーム上で球３１ａ〜３１ｃが患者バー１１から指示ツール２０に徐々に移動するようアニメーション表示がなされる。
【００３６】
図４は、患者バー１１および指示ツール２０にまたがって生成される透明フレーム４０の一例を示す図であり、図５は、球３１ａ〜３１ｃの移動の一例を示す図である。図４に示すように、この透明フレーム４０は、患者バー１１および指示ツール２０の上部レイヤに、球３１ａ〜３１ｃが表示されている領域と球３１ａ〜３１ｃの移動先である指示ツール２０上の領域とを含むように生成される。
【００３７】
そして、図５に示すように、患者バー１１上に表示されている球３１ａ〜３１ｃのうち、指示ツール２０に入力される情報（この場合は、処方オーダ）に関連する注意情報を示す球３１ａ，３１ｃが、アニメーション表示により表示位置を次第に変えながら指示ツール２０上に移動する。
【００３８】
また、ここでは、指示ツール２０が処方オーダの入力を受け付けるものである場合について説明したが、指示ツールがその他の指示情報を受け付けるものである場合でも同様に、指示ツール上への球３１ａ〜３１ｃの移動処理が実行される。
【００３９】
図６は、球３１ａ〜３１ｃの移動の他の例を示す図である。ここでは、指示ツール５０が、食事に係る指示（食事オーダ）の入力を受け付けるものである場合について示している。この場合、食事オーダには感染症情報や治験情報は無関係であり、アレルギー情報だけが関係するので、指示ツール５０上にはアレルギー情報に対応する球３１ｂのみが移動する。
【００４０】
これにより、指示ツール５０上で食事オーダに係る情報の入力をおこなう医師の注意を喚起することができ、医師がアレルギー情報を見落としてしまうことを効果的に防止することができる。
【００４１】
つぎに、本実施例に係る電子カルテシステムの機能構成について説明する。図７は、本実施例に係る電子カルテシステムの機能構成を示す図である。図７に示すように、この電子カルテシステムは、電子カルテＤＢ（Database）サーバ６０と、電子カルテクライアント７０ａ〜７０ｃとがネットワーク８０を介して接続された構成となっている。
【００４２】
電子カルテＤＢサーバ６０は、電子カルテに係るさまざまな情報をデータベースとして登録し、情報の集中管理をおこなうサーバ装置である。この電子カルテＤＢサーバ６０は、患者ＤＢ６１、感染症ＤＢ６２、治験ＤＢ６３、検査結果ＤＢ６４、検査しきい値ＤＢ６５、アレルギーＤＢ６６、パターンＤＢ６７、患者状態ＤＢ６８、オーダＤＢ６９の電子カルテに係る情報を記憶した各種データベースを管理している。
【００４３】
患者ＤＢ６１は、患者の個人情報を登録したデータベースである。図８は、図７に示した患者ＤＢ６１の一例を示す図である。図８に示すように、この患者ＤＢ６１は、患者コード、氏名、身長、体重、脈拍、呼吸数、血圧（上）、血圧（下）の各情報を格納している。
【００４４】
患者コードは、各患者に割り当てられた患者の識別番号である。氏名、身長、体重、脈拍、呼吸数、血圧（上）、血圧（下）は、それぞれ、各患者の氏名、身長、体重、脈拍、呼吸数、最高血圧、最低血圧の情報である。
【００４５】
また、感染症ＤＢ６２は、患者が感染症にかかっているか否かの情報を登録したデータベースである。図９は、図７に示した感染症ＤＢ６２の一例を示す図である。
【００４６】
図９に示すように、この感染症ＤＢ６２は、ＨＣＶ（Hepatitis C Virus）抗体、ＨＩＶ（Human Immunodeficiency Virus）抗体、ＲＰＲ（Rapid Plasma Reagin）、ＨＢｓ（Hepatitis B Surface Antigen）抗原、ＴＰ（Treponema Pallidum）、ＨＴＬＶ−Ｉ（Human T-Lymphotropic Virus Type-I）抗体の各検査において検査結果が陽性であったか否かの情報を図８で説明した患者コードに対応付けて格納している。ここで、検査結果が陽性であった場合には「１」が、陽性でなかった場合には「０」が登録される。
【００４７】
また、治験ＤＢ６３は、患者が治験対象の患者であるか否かの情報を登録したデータベースである。図１０は、図７に示した治験ＤＢ６３の一例を示す図である。図１０に示すように、この治験ＤＢ６３は、患者コード、治験患者、治験開始日、治験終了日の各情報を格納している。
【００４８】
ここで、図８で説明した患者コードにより特定される患者が治験対象の患者である場合には治験患者の項目に「１」が、治験対象の患者でない場合には治験患者の項目に「０」が登録される。また、患者が治験対象の患者である場合には治験開始日が、その治験が終了した場合には治験終了日の情報が治験ＤＢ６３に登録される。
【００４９】
また、検査結果ＤＢ６４は、患者の検査結果の情報を登録したデータベースである。図１１は、図７に示した検査結果ＤＢ６４の一例を示す図である。図１１に示すように、この検査結果ＤＢ６４は、図８で説明した患者コードに対応付けて、検査の結果得られたＲＢＣ（Red Blood Cell）、Ｈｔ（Hematocrit）、ＭＣＨＣ（Mean Corpuscular Hemoglobin Concentration）、ＲＤＷ（Red blood cell Distribution Width）の各値の情報が格納されている。
【００５０】
また、検査しきい値ＤＢ６５は、検査結果ＤＢ６４に登録された各検査結果における検査値の正常範囲の情報を登録したデータベースである。図１２は、図７に示した検査しきい値ＤＢ６５の一例を示す図である。
【００５１】
図１２に示すように、この検査しきい値ＤＢ６５は、検査項目、上限値、下限値の各情報を格納している。検査項目は、検査結果ＤＢ６４に登録された各検査項目（ＲＢＣ、Ｈｔ、ＭＣＨＣ、ＲＤＷ）の情報である。上限値は、検査値が正常であると判定される範囲の上限値である。下限値は、検査値が正常であると判定される範囲の下限値である。
【００５２】
また、アレルギーＤＢ６６は、患者のアレルギー疾患に係る情報を登録したデータベースである。図１３は、図７に示したアレルギーＤＢ６６の一例を示す図である。図１３に示すように、このアレルギーＤＢ６６は、患者コード、コード、内容、部位、登録日時の情報を格納している。
【００５３】
患者コードは、図８に示した患者ＤＢ６１の患者コードと同様の情報である。コードは、患者コードにより特定される患者のアレルギー疾患の内容（アトピー、皮膚アレルギー、鼻アレルギー、目アレルギー、口アレルギーなど）を識別する識別コードである。
【００５４】
内容は、上記コードに対応するアレルギー疾患の内容である。部位は、アレルギー症状が出る体の部位の情報である。登録日時は、各アレルギー疾患についての情報が登録された日時の情報である。
【００５５】
また、パターンＤＢ６７は、図５や図６に示したように、患者バー１１上に患者に係る注意情報があることを示す球３１ａ〜３１ｃが表示されている状態で、さらに処方や食事などの指示種に対する指示ツール２０，５０が画面上に表示された場合に、指示ツール２０，５０上に移動させる球３１ａ〜３１ｃの種類の情報を登録したデータベースである。
【００５６】
図１４は、図７に示したパターンＤＢ６７の一例を示す図である。図１４に示すように、このパターンＤＢ６７は、感染症、アレルギー、検査結果、治験の各注意情報を示す球を各指示種に対応する指示ツール上に移動させるか否かの情報を各指示種に対応付けて格納している。ここで、球を指示ツール上に移動させる場合には「１」が、移動させない場合には「０」が登録される。なお、図１４の例では、指示種として、処方、注射、処置、輸血、手術、検体、病理、内視鏡、食事、栄養指導が登録されている。
【００５７】
また、患者状態ＤＢ６８は、患者バー１１に表示すべき注意情報があるか否かの情報を患者ごとに登録したデータベースである。図１５は、図７に示した患者状態ＤＢ６８の一例を示す図である。
【００５８】
図１５に示すように、この患者状態ＤＢ６８は、患者コードおよび氏名に対応付けて、感染症、アレルギー、検査結果、治験の各項目に関連する注意情報があるか否かの情報が格納されている。
【００５９】
ここで、患者コードおよび氏名は、図８に示した患者ＤＢ６１の患者コードおよび氏名の情報と同様の情報である。そして、注意情報がある場合には「１」が、注意情報がない場合には「０」が患者状態ＤＢ６８に登録される。
【００６０】
なお、注意情報があるか否かの情報は、感染症ＤＢ６２、治験ＤＢ６３、検査結果ＤＢ６４、検査しきい値ＤＢ６５、アレルギーＤＢ６６などの電子カルテ情報から得られる。具体的には、電子カルテＤＢサーバ６０は、患者ごとに感染症があるか否かを感染症ＤＢ６２を参照することにより判定して、感染症がある場合には感染症の欄に「１」を登録し、感染症がない場合には感染症の欄に「０」を登録する。
【００６１】
また、電子カルテＤＢサーバ６０は、患者ごとにアレルギー疾患があるか否かをアレルギーＤＢ６６を参照することにより判定して、アレルギー疾患がある場合にはアレルギーの欄に「１」を登録し、アレルギー疾患がない場合にはアレルギーの欄に「０」を登録する。
【００６２】
また、電子カルテＤＢサーバ６０は、患者ごとに検査結果に異常があるか否か（検査結果の値が正常な範囲内にあるか否か）を検査結果ＤＢ６４および検査しきい値ＤＢ６５を参照することにより判定して、検査結果に異常がある場合には検査結果の欄に「１」を登録し、検査結果に異常がない場合には検査結果の欄に「０」を登録する。
【００６３】
さらに、電子カルテＤＢサーバ６０は、患者が治験患者であるか否かを治験ＤＢ６３を参照することにより判定して、治験患者である場合には治験の欄に「１」を登録し、治験患者でない場合には治験の欄に「０」を登録する。
【００６４】
また、オーダＤＢ６９は、医師が処方、注射、処置、輸血、手術、検体、病理、内視鏡、食事、栄養指導などに係る指示ツールを用いて入力したさまざまな指示情報を記憶したデータベースである。
【００６５】
図７の説明に戻ると、電子カルテクライアント７０ａ〜７０ｃは、電子カルテＤＢサーバ６０から患者ＤＢ６１、感染症ＤＢ６２、治験ＤＢ６３、検査結果ＤＢ６４、検査しきい値ＤＢ６５、アレルギーＤＢ６６、パターンＤＢ６７、患者状態ＤＢ６８、オーダＤＢ６９として登録された電子カルテの情報を取得して、電子カルテの表示や編集などをおこなうクライアント装置である。
【００６６】
この電子カルテクライアント７０ａ〜７０ｃは、通信インターフェース部７１、入力部７２、表示部７３、記憶部７４、制御部７５を有する。なお、各電子カルテクライアント７０ａ〜７０ｃの機能構成は同様であるので、図７には、電子カルテクライアント７０ａの機能構成のみを示している。
【００６７】
通信インターフェース部７１は、電子カルテＤＢサーバ６０との間でネットワーク８０を介して通信をおこなうネットワークインターフェースである。入力部７２は、キーボードやマウスなどの入力デバイスである。表示部７３は、ディスプレイなどの表示デバイスである。記憶部７４は、ハードディスク装置などの記憶デバイスである。この記憶部７４は、電子カルテＤＢサーバ６０から取得した電子カルテ情報などを記憶する。
【００６８】
制御部７５は、電子カルテクライアント７０ａを全体制御する制御部である。この制御部７５は、電子カルテ情報管理部７５０、管理画面制御部７５１、患者バー制御部７５２、ブラウザ制御部７５３、エディタ制御部７５４、指示ツール制御部７５５、注意情報選択部７５６、注意情報表示制御部７５７を有する。
【００６９】
電子カルテ情報管理部７５０は、電子カルテ情報の管理をおこなう管理部である。具体的には、電子カルテ情報管理部７５０は、電子カルテＤＢサーバ６０に対して各種データベースに登録された電子カルテ情報を送信するよう要求したり、電子カルテＤＢサーバ６０に電子カルテ情報を送信し、送信した情報のデータベースへの登録やデータベースの更新を要求する。
【００７０】
また、電子カルテ情報管理部７５０は、電子カルテＤＢサーバ６０の感染症ＤＢ６２、治験ＤＢ６３、検査結果ＤＢ６４、アレルギーＤＢ６５に患者の情報が新たに登録されたり、患者の情報が更新された場合に、電子カルテＤＢサーバ６０からその通知を受け付ける。
【００７１】
そして、電子カルテ情報管理部７５０は、患者バー１１あるいは指示ツール２０，５０上に新たに登録された情報、あるいは、更新された情報に対応する球が表示されているか否かを調べ、そのような球が表示されている場合には、後に説明する患者バー制御部７５２、あるいは、指示ツール制御部７５５に回転する球を表示するように要求する。
【００７２】
また、球がマウス等によりクリックされ、患者バー制御部７５２、あるいは、指示ツール制御部７５５から球に対応する患者の情報の出力要求を受け付けた場合には、電子カルテ情報管理部７５０は、感染症ＤＢ６２、治験ＤＢ６３、検査結果ＤＢ６４、アレルギーＤＢ６５から読み出した患者の情報を患者バー制御部７５２、あるいは、指示ツール制御部７５５に出力し、その情報を表示させる。
【００７３】
管理画面制御部７５１は、図１に示した管理画面１０の表示制御、管理画面１０における各種情報の入力受け付けなどをおこなう制御部である。具体的には、管理画面制御部７５１は、電子カルテシステムへの医師のログイン処理やログアウト処理、電子カルテ情報の表示・編集がおこなわれる患者の選択受け付け処理などを実行する。
【００７４】
患者バー制御部７５２は、図１に示した患者バー１１の表示制御、患者バー１１における各種情報の入力受け付けなどをおこなう制御部である。具体的には、患者バー制御部７５２は、医師により選択された患者の氏名や年齢などの個人情報の表示制御や、後に説明する注意情報選択部７５６により患者に係る注意情報が選択された場合に、注意情報があることを示す球３１ａ〜３１ｃを患者バー１１上に表示する表示制御を実行する。
【００７５】
また、患者バー制御部７５２は、患者バー１１上に表示された球がマウス等によりクリックされた場合に、球に対応する患者の情報を出力するよう電子カルテ情報管理部７５０に要求し、その情報を電子カルテ情報管理部７５０から受け付けて表示する処理をおこなう。
【００７６】
ブラウザ制御部７５３は、図１に示したブラウザ１２の表示制御、ブラウザ１２における各種情報の入力受け付け、各種情報の検索などをおこなう制御部である。具体的には、ブラウザ制御部７５３は、医師により入力された電子カルテ情報の表示制御や電子カルテ情報の検索処理などを実行する。
【００７７】
エディタ制御部７５４は、図１に示したエディタ１３の表示制御、エディタ１３における各種情報の入力受け付けなどをおこなう制御部である。具体的には、エディタ制御部７５４は、医師による電子カルテ情報の入力受け付け処理や、図１に示したメニュー１４を表示することにより指示ツール２０，５０の起動要求を受け付ける処理などを実行する。
【００７８】
指示ツール制御部７５５は、指示ツール２０，５０の表示制御、指示ツール２０，５０における各種情報の入力受け付けなどをおこなう制御部である。具体的には、指示ツール制御部７５５は、エディタ制御部７５４が医師から所定の指示ツール２０，５０の起動要求を受け付けた場合に、その指示ツール２０，５０の表示制御をおこない、また、医師から指示情報の入力を受け付けて、受け付けた情報を電子カルテＤＢサーバ６０のオーダＤＢ６９に登録するよう電子カルテ情報管理部７５０に要求する。
【００７９】
また、指示ツール制御部７５５は、指示ツール２０，５０上に表示された球がマウス等によりクリックされた場合に、球に対応する患者の情報を出力するよう電子カルテ情報管理部７５０に要求し、その情報を電子カルテ情報管理部７５０から受け付けて表示する処理をおこなう。
【００８０】
注意情報選択部７５６は、患者バー１１あるいは指示ツール２０，５０上に表示すべき注意情報の種類を選択する選択部である。具体的には、注意情報選択部７５６は、電子カルテＤＢサーバ６０から取得した患者状態ＤＢ６８を参照して、感染症やアレルギー、検査結果、治験の患者に係る注意情報があるか否かを判定し、患者バー１１上に表示すべき注意情報の種類を選択する。
【００８１】
そして、注意情報選択部７５６は、患者バー１１上に表示すべき注意情報があって、その種類の選択を実行した場合に、その選択結果の情報を患者バー制御部７５２に通知する処理をおこなう。
【００８２】
また、この注意情報選択部７５６は、患者バー１１上に球が表示された状態で、さらに指示ツール２０，５０が表示された場合に、電子カルテＤＢサーバ６０から取得したパターンＤＢ６７を参照し、患者バー１１上に表示されている球のうち、指示ツール２０，５０上に移動すべき球の種類を選択する。
【００８３】
そして、注意情報選択部７５６は、指示ツール２０，５０上に移動すべき球を選択した場合に、その選択結果の情報をつぎに説明する注意情報表示制御部７５７に通知する処理をおこなう。
【００８４】
注意情報表示制御部７５７は、注意情報選択部７５６から指示ツール２０，５０上に移動すべき球の選択結果の情報を受け付けた場合に、患者バー１１から指示ツール２０，５０上への球の移動の表示制御をおこなう制御部である。
【００８５】
具体的には、注意情報表示制御部７５７は、指示ツール２０，５０上に移動すべき球がある場合に、図４で説明したように、患者バー１１および指示ツール２０，５０の上部レイヤに、球が表示されている領域と球の移動先である指示ツール２０，５０上の領域とを含むように透明フレーム４０を生成する。
【００８６】
そして、注意情報表示制御部７５７は、透明フレーム４０上で指示ツール２０，５０上に移動すべきと判定した球がアニメーション表示により表示位置を次第に変えながら指示ツール２０，５０上に移動するよう制御する。
【００８７】
また、注意情報表示制御部７５７は、指示ツール２０，５０上で医師による指示情報の入力が確定された場合に、指示ツール２０，５０上に表示されている球を患者バー１１の元の位置に表示するように制御する。
【００８８】
具体的には、注意情報表示制御部７５７は、患者バー１１および指示ツール２０，５０の上部レイヤに、球が表示されている領域と球の移動先である患者バー１１上の領域とを含むように透明フレーム４０を生成する。
【００８９】
そして、注意情報表示制御部７５７は、透明フレーム４０上で指示ツール２０，５０上に表示されている球がアニメーションにより表示位置を次第に変えながら患者バー１１上に移動するよう制御する。
【００９０】
つぎに、本実施例に係る電子カルテ処理の処理手順について説明する。図１６は、電子カルテ処理の処理手順を示すフローチャートである。図１６に示すように、まず、電子カルテクライアント７０ａの電子カルテ情報管理部７５０は、医師による電子カルテシステムへのログイン操作を受け付ける（ステップＳ１０１）。
【００９１】
そして、電子カルテ情報管理部７５０は、医師による患者の選択を受け付け（ステップＳ１０２）、図１に示したような、選択された患者に対応する電子カルテの基本画面を表示する（ステップＳ１０３）。この電子カルテ基本画面の表示処理については後に詳しく説明する。
【００９２】
その後、電子カルテ情報管理部７５０は、電子カルテデータ処理を実行する（ステップＳ１０４）。ここで、電子カルテデータ処理とは、電子カルテの作成処理や、表示処理、あるいは、処方や食事に対する指示情報の入力受付処理などのことである。ここで、指示情報の入力受付処理が実行される場合には、注意情報があることを示す球の表示制御処理がなされるが、これについては後に詳しく説明する。
【００９３】
その後、電子カルテ情報管理部７５０は、新たな患者の選択を医師から受け付けたか否かを調べる（ステップＳ１０５）。そして、新たな患者の選択を医師から受け付けた場合には（ステップＳ１０５，Ｙｅｓ）、ステップＳ１０３に移行して、新たに選択された患者に対応する電子カルテの基本画面を表示する。
【００９４】
新たな患者の選択を医師から受け付けなかった場合には（ステップＳ１０５，Ｎｏ）、電子カルテ情報管理部７５０は、医師による電子カルテシステムからのログアウト操作を受け付け（ステップＳ１０６）、この電子カルテ処理を終了する。
【００９５】
つぎに、図１に示した電子カルテの基本画面の表示処理の処理手順について説明する。図１７は、電子カルテ基本画面の表示処理の処理手順を示すフローチャートである。この表示処理は、図１６に示した電子カルテ処理の処理手順のステップＳ１０３に対応する処理である。
【００９６】
図１７に示すように、まず、電子カルテクライアント７０ａの電子カルテ情報管理部７５０は、図１６のステップＳ１０２により選択された患者に係るデータを電子カルテＤＢサーバ６０の患者状態ＤＢ６８から読み込む（ステップＳ２０１）。
【００９７】
そして、注意情報選択部７５６は、患者状態ＤＢ６８から読み込んだデータに患者に感染症があることを示す感染症情報があるか否かを検索する（ステップＳ２０２）。続いて、注意情報選択部７５６は、患者状態ＤＢ６８から読み込んだデータに患者にアレルギー疾患があることを示すアレルギー情報があるか否かを検索する（ステップＳ２０３）。
【００９８】
そして、注意情報選択部７５６は、患者状態ＤＢ６８から読み込んだデータに検査結果に異常値があることを示す検査結果情報があるか否かを検索する（ステップＳ２０４）。続いて、注意情報選択部７５６は、治験ＤＢ６３から読み込んだデータに患者が治験者であることを示す治験情報があるか否かを検索する（ステップＳ２０５）。
【００９９】
その後、管理画面制御部７５１、患者バー制御部７５２、ブラウザ制御部７５３、エディタ制御部７５４は、図１に示したような、選択された患者に対応する電子カルテの基本画面を表示する（ステップＳ２０６）。
【０１００】
そして、注意情報選択部７５６は、ステップＳ２０２からステップＳ２０５の処理において検索された患者情報（感染症情報、アレルギー情報、検査結果情報、治験情報）が有るか否かを調べる（ステップＳ２０７）。
【０１０１】
患者情報があった場合には（ステップＳ２０７，Ｙｅｓ）、患者バー制御部７５２は、図３に示したように、検索された各患者情報に対応する球を患者バー１１上の特定領域に表示し（ステップＳ２０８）、この電子カルテ基本画面の表示処理を終了する。患者情報がなかった場合には（ステップＳ２０７，Ｎｏ）、そのままこの電子カルテ基本画面の表示処理を終了する。
【０１０２】
つぎに、図４〜図６で説明したような、球３１ａ〜３１ｃの移動処理の処理手順について説明する。図１８−１および図１８−２は、球３１ａ〜３１ｃの移動処理の処理手順を示すフローチャート（１）および（２）である。また、図１９は、球３１ａ〜３１ｃの移動処理について説明する説明図である。
【０１０３】
なお、この移動処理は、図１７で説明した電子カルテ基本画面の表示処理において、患者バー１１上に注意情報があることを示す球３１ａ〜３１ｃが表示され、その後、処方や食事オーダなどの指示情報を入力するための指示ツール２０が起動される場合におこなわれる処理である。
【０１０４】
図１８−１に示すように、まず、電子カルテクライアント７０ａのエディタ制御部７５４は、医師により指定された指示種（処方、食事など）に対応する指示ツール２０の起動要求を受け付ける（ステップＳ３０１）。そして、エディタ制御部７５４は、指示ツール２０の起動を患者バー制御部７５２および指示ツール制御部７５５に通知する（ステップＳ３０２）。
【０１０５】
続いて、指示ツール制御部７５５は、医師により指定された指示種に対応する指示ツールを起動・表示する（ステップＳ３０３）。そして、注意情報選択部７５６は、指示種の情報を取得し（ステップＳ３０４）、さらにパターンＤＢ６７に記憶された情報を読み込む（ステップＳ３０５）。
【０１０６】
その後、注意情報選択部７５６は、患者バー１１上に表示されている球３１ａ〜３１ｃのうち、指示ツール２０上に移動させる球３１ａ〜３１ｃがあるか否かを判定する（ステップＳ３０６）。
【０１０７】
具体的には、注意情報選択部７５６は、パターンＤＢ６７に記憶された情報から、医師により指定された指示種に対応し、指示ツール上に移動させる球３１ａ〜３１ｃの種類の情報を取得する。
【０１０８】
そして、注意情報選択部７５６は、その球３１ａ〜３１ｃの種類と同種の球３１ａ〜３１ｃが患者バー１１上に表示されているか否かを調べることにより、指示ツール２０上に移動させる球３１ａ〜３１ｃがあるか否かを判定する。
【０１０９】
指示ツール２０上に移動させる球３１ａ〜３１ｃがない場合は（ステップＳ３０６，Ｎｏ）、指示ツール制御部７５６は、医師からの指示情報の入力を受け付ける（ステップＳ３０７）。そして、指示ツール制御部７５６は、図１８−２に示すように、指示ツール２０の画面を閉じ（ステップＳ３２５）、そのままこの処理を終了する。
【０１１０】
指示ツール２０上に移動させる球３１ａ〜３１ｃがある場合は（ステップＳ３０６，Ｙｅｓ）、注意情報表示制御部７５７は、図１９のＩに示されるように、患者バー１１および指示ツール２０の上部レイヤに、球３１ａ〜３１ｃが表示されている領域と球３１ａ〜３１ｃの移動先である指示ツール２０上の領域とを含むように特定の大きさの透明フレーム４０を生成する（ステップＳ３０８）。
【０１１１】
そして、注意情報表示制御部７５７は、注意情報選択部７５６から指示ツール２０上に移動させる球３１ｂの種類の情報と位置の情報とを取得し、図１９のIIに示されるように、指示ツール２０上に移動させる球３１ｂと同種の球３１ｂ'を透明フレーム４０上の同じ位置に表示する（ステップＳ３０９）。
【０１１２】
続いて、患者バー制御部７５２は、注意情報表示制御部７５７から球３１ｂ'の表示が完了したことを示す通知を受け付け、図１９のIIIに示されるように、患者バー１１上の球３１ｂを消去する（ステップＳ３１０）。
【０１１３】
その後、注意情報表示制御部７５７は、患者バー制御部７５２から球３１ｂの消去が完了したことを示す通知を受け付け、図１９のIVに示されるように、透明フレーム４０上の球３１ｂ'を患者バー１１上から指示ツール４０上にアニメーション表示により移動させる（ステップＳ３１１）。
【０１１４】
そして、注意情報表示制御部７５７は、球３１ｂ'の移動が完了したことを指示ツール制御部７５５に通知する（ステップＳ３１２）。指示ツール制御部７５５は、この通知を受け付けると、図１９のＶに示されるように、透明フレーム４０上に表示されている球３１ｂ'と同種の球３１ｂ''を指示ツール２０上の同じ位置に表示する（ステップＳ３１３）。
【０１１５】
その後、注意情報表示制御部７５７は、指示ツール制御部７５５から球３１ｂ''の表示が完了したことを示す通知を受け付け、図１９のVIに示すように、透明フレーム４０上の球３１ｂ'を消去し（ステップＳ３１４）、さらに、図１９のVIIに示すように、透明フレーム４０を消去する（ステップＳ３１５）。
【０１１６】
そして、指示ツール制御部７５６は、注意情報表示制御部７５７から透明フレーム４０の消去が完了したことを示す通知を受信し、医師からの指示情報の入力を受け付ける処理をおこなう（ステップＳ３１６）。
【０１１７】
指示情報の入力が確定されると、注意情報表示制御部７５７は、指示ツール制御部７５６から指示情報の入力が確定されたことを示す通知を受け付け、図１９のVIIIに示すように、患者バー１１および指示ツール２０の上部レイヤに、球３１ｂ''が表示されている領域と球３１ｂ''の移動先である患者バー１１上の領域とを含むように、特定の大きさの透明フレーム４０を生成する（ステップＳ３１７）。
【０１１８】
そして、注意情報表示制御部７５７は、図１９のIXに示されるように、指示ツール２０上に移動させる球３１ｂ''と同種の球３１ｂ'を透明フレーム４０上の同じ位置に表示する（ステップＳ３１８）。
【０１１９】
続いて、指示ツール制御部７５５は、注意情報表示制御部７５７から球３１ｂ'の表示が完了したことを示す通知を受け付け、図１９のＸに示されるように、指示ツール２０上の球３１ｂ''を消去する（ステップＳ３１９）。
【０１２０】
その後、注意情報表示制御部７５７は、指示ツール制御部７５５から球３１ｂ''の消去が完了したことを示す通知を受け付け、図１９のXIに示されるように、透明フレーム４０上の球３１ｂ'を指示ツール４０上から患者バー１１上にアニメーション表示により移動させる（ステップＳ３２０）。
【０１２１】
そして、注意情報表示制御部７５７は、球３１ｂ'の移動が完了したことを患者バー制御部７５２に通知する（ステップＳ３２１）。患者バー制御部７５２は、この通知を受け付けると、図１９のXIIに示されるように、透明フレーム４０上に表示されている球３１ｂ'と同種の球３１ｂを患者バー１０上の同じ位置に表示する（ステップＳ３２２）。
【０１２２】
続いて、注意情報表示制御部７５７は、患者バー制御部７５２から球３１ｂの表示が完了したことを示す通知を受け付け、図１９のXIIIに示すように、透明フレーム４０上の球３１ｂ'を消去し（ステップＳ３２３）、さらに、図１９のXIVに示すように、透明フレーム４０を消去する（ステップＳ３２４）。
【０１２３】
その後、指示ツール制御部７５６は、注意情報表示制御部７５７から透明フレーム４０の消去が完了したことを示す通知を受け付け、指示ツール２０の画面を閉じ（ステップＳ３２５）、そのままこの球３１ａ〜３１ｃの移動処理を終了する。
【０１２４】
上述してきたように、本実施例では、エディタ制御部７５４が、所定の指示ツール２０，５０の表示要求を受け付けた場合に、注意情報選択部７５６が、各指示ツール２０，５０の種類と所定の情報を入力する際の注意を医師に促す球３１ａ〜３１ｃの種類との間の対応関係の情報を記憶したパターンＤＢ６７を参照することにより所定の指示ツール２０，５０上に表示する球３１ａ〜３１ｃを選択し、指示ツール制御部７５５が、選択された球３１ａ〜３１ｃを指示ツール２０，５０上に表示するよう制御することとしたので、情報の入力時に注意すべき注意情報の見落としを効果的に防止することができる。
【０１２５】
また、本実施例では、指示ツール２０，５０上に入力される情報は、電子カルテに係る情報であることとしたので、医師が電子カルテシステムを利用して情報の入力をおこなう場合に注意すべき注意情報の見落としを効果的に防止することができる。
【０１２６】
また、本実施例では、注意情報選択部７５６が、医師により指定された患者の電子カルテ（感染症ＤＢ６２、治験ＤＢ６３、検査結果ＤＢ６４、アレルギーＤＢ６６）を基にして所定の情報を入力する際の注意を医師に促す球３１ａ〜３１ｃの種類を判定し、判定した各種の球３１ａ〜３１ｃのうち指示ツール２０，５０上に表示する球３１ａ〜３１ｃをパターンＤＢ６７を参照することにより選択することとしたので、患者の電子カルテから得られる注意情報の見落としを効果的に防止することができる。
【０１２７】
また、本実施例では、患者バー制御部７５２が、注意情報選択部７５６による判定により得られた各種の球３１ａ〜３１ｃを患者バー１１上に表示するよう制御し、指示ツール制御部７５５が、患者バー制御部７５２により表示制御がなされた球３１ａ〜３１ｃのうち、指示ツール２０，５０に対応する球３１ａ〜３１ｃの表示位置のみを患者バー１１上から指示ツール２０，５０上に変更して球３１ａ〜３１ｃを表示するよう制御することとしたので、入力される情報とは関係のない注意情報を指示ツール２０，５０上に表示せず、入力される情報と関係する注意情報のみを指示ツール２０，５０上に表示することにより、情報の入力時に注意が必要な注意情報の見落としを効果的に防止することができる。
【０１２８】
また、本実施例では、指示ツール制御部７５５が、球３１ａ〜３１ｃの表示位置を患者バー１１から指示ツール２０，５０に変更して球３１ａ〜３１ｃを表示する場合に、注意情報表示制御部７５７が、患者バー１１から指示ツール２０，５０に球３１ａ〜３１ｃの表示位置が徐々に移動するよう制御することとしたので、医師が注意情報に気付きやすくし、注意情報の見落としを効果的に防止することができる。
【０１２９】
さて、これまで本発明の実施例について説明したが、本発明は上述した実施例以外にも、特許請求の範囲に記載した技術的思想の範囲内において種々の異なる実施例にて実施されてもよいものである。
【０１３０】
たとえば、本実施例では、本発明を電子カルテシステムに適用した場合について説明したが、本発明の適用範囲はこれに限定されるものではなく、情報の入力時に注意すべき注意情報を通知することが望まれる原子力発電制御システムなどの他のシステムに適用することとしてもよい。
【０１３１】
原子力発電システムにおいては、原子炉運転に係る指示情報を所定の入力受付画面を用いて入力する場合に、急な温度変化があったなど、原子炉の状態に係る注意情報を入力受付画面上に表示することによりユーザが注意情報を見落とすことを防止する。
【０１３２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１３３】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１３４】
なお、本実施例で説明した入力受付領域表示方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１３５】
（付記１）所定の情報の入力をユーザから受け付ける入力受付領域を表示する入力受付領域表示方法であって、
所定の入力受付領域の表示要求を受け付けた場合に、各入力受付領域の種類と前記所定の情報を入力する際の注意をユーザに促す注意情報の種類との間の対応関係の情報を記憶したデータベースを参照することにより前記所定の入力受付領域に表示する注意情報を選択する選択工程と、
前記選択工程により選択された注意情報を前記所定の入力受付領域に表示するよう制御する制御工程と、
を含んだことを特徴とする入力受付領域表示方法。
【０１３６】
（付記２）前記所定の情報は、電子カルテに係る情報であることを特徴とする付記１に記載の入力受付領域表示方法。
【０１３７】
（付記３）指定された患者の電子カルテを基にして前記所定の情報を入力する際の注意をユーザに促す注意情報の種類を判定する判定工程をさらに含み、前記選択工程は、前記判定工程により判定された各種の注意情報のうち前記所定の入力受付領域に表示する注意情報を前記データベースを参照することにより選択することを特徴とする付記２に記載の入力受付領域表示方法。
【０１３８】
（付記４）前記判定工程は、判定により得られた各種の注意情報を所定の表示領域に表示するよう制御し、前記制御工程は、前記判定工程により表示制御がなされた注意情報のうち、前記選択工程により選択された注意情報の表示位置のみを前記所定の表示領域から前記入力受付領域に変更して前記選択工程により選択された注意情報を表示するよう制御することを特徴とする付記３に記載の入力受付領域表示方法。
【０１３９】
（付記５）前記制御工程は、前記注意情報の表示位置を前記所定の表示領域から前記入力受付領域に変更して当該注意情報を表示する場合に、前記所定の表示領域から前記入力受付領域に前記注意情報の表示位置が徐々に移動するよう制御することを特徴とする付記４に記載の入力受付領域表示方法。
【０１４０】
（付記６）所定の情報の入力をユーザから受け付ける入力受付領域を表示する入力受付領域表示装置であって、
各入力受付領域の種類と前記所定の情報を入力する際の注意をユーザに促す注意情報の種類との間の対応関係の情報を記憶した記憶手段と、
所定の入力受付領域の表示要求を受け付けた場合に、前記記憶手段に記憶された情報を参照することにより前記入力受付領域に表示する注意情報を選択する選択手段と、
前記選択手段により選択された注意情報を前記所定の入力受付領域に表示するよう制御する制御手段と、
を備えたことを特徴とする入力受付領域表示装置。
【産業上の利用可能性】
【０１４１】
以上のように、本発明にかかる入力受付領域表示方法および入力受付領域表示装置は、所定の情報の入力時に注意すべき注意情報の見落としを効果的に防止することが必要な入力受付領域表示システムに有用である。
【図面の簡単な説明】
【０１４２】
【図１】電子カルテの基本画面の一例を示す図である。
【図２】指示ツール２０の一例を示す図である。
【図３】患者に係る注意情報の表示の一例を示す図である。
【図４】患者バー１１および指示ツール２０にまたがって生成される透明フレーム４０の一例を示す図である。
【図５】球３１ａ〜３１ｃの移動の一例を示す図である。
【図６】球３１ａ〜３１ｃの移動の他の例を示す図である。
【図７】本実施例に係る電子カルテシステムの機能構成を示す図である。
【図８】図７に示した患者ＤＢ６１の一例を示す図である。
【図９】図７に示した感染症ＤＢ６２の一例を示す図である。
【図１０】図７に示した治験ＤＢ６３の一例を示す図である。
【図１１】図７に示した検査結果ＤＢ６４の一例を示す図である。
【図１２】図７に示した検査しきい値ＤＢ６５の一例を示す図である。
【図１３】図７に示したアレルギーＤＢ６６の一例を示す図である。
【図１４】図７に示したパターンＤＢ６７の一例を示す図である。
【図１５】図７に示した患者状態ＤＢ６８の一例を示す図である。
【図１６】電子カルテ処理の処理手順を示すフローチャートである。
【図１７】電子カルテ基本画面の表示処理の処理手順を示すフローチャートである。
【図１８−１】球３１ａ〜３１ｃの移動処理の処理手順を示すフローチャート（１）である。
【図１８−２】球３１ａ〜３１ｃの移動処理の処理手順を示すフローチャート（２）である。
【図１９】球３１ａ〜３１ｃの移動処理について説明する説明図である。
【符号の説明】
【０１４３】
１０    管理画面
１１    患者バー
１２    ブラウザ
１３    エディタ
１４    メニュー
２０    指示ツール（処方オーダ）
３１ａ〜３１ｃ    球
４０    透明フレーム
５０    指示ツール（食事オーダ）
６０    電子カルテＤＢサーバ
６１    患者ＤＢ
６２    感染症ＤＢ
６３    治験ＤＢ
６４    検査結果ＤＢ
６５    検査しきい値ＤＢ
６６    アレルギーＤＢ
６７    パターンＤＢ
６８    患者状態ＤＢ
６９    オーダＤＢ
７０ａ〜７０ｃ    電子カルテクライアント
７１    通信インターフェース部
７２    入力部
７３    表示部
７４    記憶部
７５    制御部
７５０    電子カルテ情報管理部
７５１    管理画面制御部
７５２    患者バー制御部
７５３    ブラウザ制御部
７５４    エディタ制御部
７５５    指示ツール制御部
７５６    注意情報選択部
７５７    注意情報表示制御部
８０    ネットワーク
【図１】
2007257030.tif 000003
【図２】
2007257030.tif 000004
【図３】
2007257030.tif 000005
【図４】
2007257030.tif 000006
【図５】
2007257030.tif 000007
【図６】
2007257030.tif 000008
【図７】
2007257030.tif 000009
【図８】
2007257030.tif 000010
【図９】
2007257030.tif 000011
【図１０】
2007257030.tif 000012
【図１１】
2007257030.tif 000013
【図１２】
2007257030.tif 000014
【図１３】
2007257030.tif 000015
【図１４】
2007257030.tif 000016
【図１５】
2007257030.tif 000017
【図１６】
2007257030.tif 000018
【図１７】
2007257030.tif 000019
【図１８−１】
2007257030.tif 000020
【図１８−２】
2007257030.tif 000021
【図１９】
2007257030.tif 000022